Podtech/llm-jp-corpus-v4-ja_patent huggingface dataset:
(57)【要約】【課題】従来の洗濯ネットは、繊維などの柔軟性の高い素材によって形成される構造のため、洗濯時には袋の捩れを防ぐことができず、これによって発生する衣類の洗濯じわを十分に予防することはできなかった。また、ハンカチやナプキンをはじめとする衣類に対して、着用や利用のための折り目を施すには、アイロン掛けが必要であった。本発明は、洗濯時における洗濯じわの発生を防ぐと同時に、必要な折り目を施すことで、アイロン掛けを不要とする洗濯ネットを提供する。【解決手段】柔軟性の高い素材から成る平面の袋状のネットの中に、ネットと略同面積を有する、弾力性の高い薄い板を設け、ネットの開口部にスライドファスナーを設けた洗濯ネットに、折り畳んだ衣類を挿入し洗濯する洗濯ネット。【選択図】図１
2016150237.tif 000002
【特許請求の範囲】
【請求項１】
ナイロンなどの柔軟性の高い素材から成る厚みのない袋状のネットの中に、弾力性の高いプラスチック素材などの板を収納し、ネットの開口部としてスライドファスナーを設けた洗濯じわを予防する洗濯ネット。
【発明の詳細な説明】
【技術分野】
【０００１】  本発明は、洗濯機での洗濯時に発生する洗濯じわを予防し、正しい折り目を付ける洗濯ネットに関するものである。
【背景技術】
【０００２】  洗濯機での洗濯時における衣類の型崩れ防止、ボタン等の装飾品の保護、糸くずやゴミなどの付着防御を目的として洗濯ネットが知られている。特に、衣類への洗濯じわを予防する目的としては、着用状態に近い形状で洗濯物を収納し畳み込んで洗濯する平面状の構造の洗濯ネットや（特許文献１）、長方形状の袋体に衣類を入れ、袋体内部に用意されたテープで固定する平面状の構造の洗濯ネット（特許文献２）が知られている。
【先行技術文献】
【特許文献】
【０００３】
【特許文献１】  特開２００１−３２７７９０号公報
【特許文献２】  特開平１０−６６７９９号公報
【発明の概要】
【発明が解決しようとする課題】
【０００４】  従来の洗濯ネットは、繊維などの柔軟性の高い素材によって形成される構造のため、洗濯時には袋の捩れを防ぐことができず、これによって発生する衣類の洗濯じわを十分に予防することはできなかった。また、洗濯ネットは衣類の保護目的に用いられるものであり、ハンカチやナプキンなどの衣類に対して、着用や利用のために必要な折り目を施すことはできなかった。この結果、衣類の洗濯じわを伸ばしたり、折り目を付けるにはアイロン掛けが別途必要であり、手間と時間が掛かる大変な作業を要している。本発明は、以上の問題点を解決するものである。
【課題を解決するための手段】
【０００５】  ナイロンなどの柔軟性の高い素材から成る平面の袋状のネットの中に、ネットと略同面積を有する、弾力性の高いプラスチック素材などから成る薄い板を設け、ネットの開口部にスライドファスナーを設ける。
以上の構成よりなる洗濯ネット。
【発明の効果】
【０００６】  従来の洗濯ネットでは防ぐことのできなかった、洗濯機による洗濯じわの発生を予防することができる。また、洗濯物を着用・利用時の形態に折り畳んだ状態で洗濯ネット内へ収納することにより、必要な折り目を洗濯時に施すことができる。以上により、洗濯じわを伸ばすために、また、衣類に必要な折り目を付けるために必要であったアイロン掛け作業が不要となり、アイロン掛けの手間から解放され、時間を有効活用できるようになった。
【図面の簡単な説明】
【０００７】
【図１】本発明の斜視図
【図２】本発明の使用状態を示す正面図
【図３】本発明に用いられる折り畳んだ衣類の斜視図
【図４】本発明により折り目の施された衣類の斜視図
【発明を実施するための形態】
【０００８】  以下、本発明の実施の形態を説明する。
イ）ナイロンなどの柔軟性の高い素材から成る平面の袋状のネット（１）の中に収納する形で、ネット（１）と略同面積を有する、弾力性の高いプラスチック素材などから成る薄い板（２）を設ける。
ロ）袋状のネット（１）の開口部に、スライドファスナー（３）を設ける。
本発明は以上のような構造である。
本発明の使用方法は、以下の通りである。
イ）洗濯する各衣類の着用・利用の形態に従い、折り目を施したい部分に沿って折り畳んだ衣類（４）。例えば、ハンカチである場合は、一般的な畳み方の通り、半分に折ることを繰り返し幾重かに折り重ねる。このとき、衣類にしわが付いているため、施したい折り目通りに折り畳むことが難しい場合は、一旦、衣類を水につけて、しわを伸ばしてから折り畳む。
ロ）折り畳んだ衣類（４）を、スライドファスナー（３）の開口部から、ネット（１）内部に設けられた板（２）の上に挿入する（図２）。
ハ）スライドファスナー（３）を閉め、ネット（１）を洗濯機に入れる。通常の洗濯通り、洗濯から脱水までを行う。このとき、折り畳んだ衣類（４）は、ネット（１）内部でネット（１）の表面と板（２）との間に固定されるため、ネット（１）の中で捩れたり、畳んだ形が崩れることはない。
ニ）脱水が完了した後、ネット（１）のスライドファスナー（３）から折り畳んだ衣類（４）を取り出す。このとき、折り畳んだ衣類（４）には、折った部分にのみ折り目が形成され、折った部分以外の衣類には洗濯じわが付いてない状態となる（５）。これは、折り畳んだ衣類（４）が、ネット（１）内の板（２）に接着する状態で脱水されることにより、畳んだ形状が保たれたまま衣類の水分が飛ばされるため、衣類の板に接する部分にはしわが付かず、折り目部分には、折った通りの折り目が形成されることによる。
ホ）折り目の施された衣類（５）を、通常通りに干す。これにより、折り目が施された状態で衣類が乾き、乾燥後、当該折り目に従って衣類を畳む。
ヘ）以上により、洗濯機による洗濯において、まるでアイロンを掛けたように、洗濯じわがなく、かつ、着用・利用形態にあわせた正しい折り目を施した衣類の洗濯を実現する。
【符号の説明】
【０００９】  １  ネット、２  板、３  スライドファスナー、４  折り畳んだ衣類、５  折り目の施された衣類
【図１】
2016150237.tif 000003
【図２】
2016150237.tif 000004
【図３】
2016150237.tif 000005
【図４】
2016150237.tif 000006
(57)【要約】【課題】本発明は、木材を用いた消臭芳香材の分野で、新規な美観とユーザーの好みに合わせて選択し、ブレンド可能な製品を提供する。【解決手段】本発明の木材を用いた消臭芳香材は、図１に示すように、透明容器（１）に、香りの通気孔（２）を設け、未使用時に通気孔を塞ぐシール（３）を設け、材質美を生かした外的美観を得られる様、サイズ・形状とも均一にカットし、角丸加工を施した木材の粒（４）を、透明容器（１）に充填し、粒状集合体として配列表現されるデザインを有し、複数の樹種によるシリーズ展開により、ユーザーの好みに合わせて選択し、ブレンドした香りやデザインを楽しむ事が可能となる事を特徴とする木材を用いた消臭芳香材。【選択図】図１
2016150240.tif 000002
【特許請求の範囲】
【請求項１】
本発明の木材を用いた消臭芳香材は、図１に示すように、透明容器（１）に、香りの通気孔（２）を設け、未使用時に通気孔を塞ぐシール（３）を設け、材質美を生かした外的美観を得られる様、サイズ・形状とも均一にカットし、角丸加工を施した木材の粒（４）を、透明容器（１）に充填し、粒状集合体として配列表現されるデザインを有し、
複数の樹種によるシリーズ展開により、ユーザーの好みに合わせて選択し、ブレンドした香りやデザインを楽しむ事が可能となる事を特徴とする木材を用いた消臭芳香材。
【発明の詳細な説明】
【技術分野】
【０００１】本発明は、木材を用いた消臭芳香材に関するものである。
【背景技術】
【０００２】従来、木材を用いた消臭芳香材に用いられる材は、杉や檜が主流であるが、単一樹種によるもので、樹種による製品のバリエーションが極めて少なかった。通常、木材を用いた臭芳香材は、おがくずや木材チップを袋に充填した簡素なもので、木材自体には、外的美観による視覚的効果は考慮されていなかった。従来、木材を用いた消臭芳香材は、おがくずや木材チップを袋に充填したものが提案されている。（先行技術文献１参照）
【先行技術文献】
【特許文献】
【０００３】
【先行技術文献１】
登録実用新案第３０９４２７４号）
【発明の概要】
【発明が解決しようとする課題】
【０００４】  そのため、次のような問題点があった。従来、木材を用いた消臭芳香材は、おがくずや木材チップを袋に充填した簡素なもので、杉や檜などが主流であるが、樹種による製品のバリエーションが極めて少なく、ユーザーには樹種の選択肢が与えられていなかった。通常、木材を用いた消臭芳香材は、おがくずや木材チップを袋に詰めた簡素なもので、外的美観による視覚的効果は考慮されておらず、芳香が無くなり次第廃棄され、製品寿命が短かった。
【課題を解決するための手段】
【０００５】  本発明の木材を用いた消臭芳香材は、図１に示すように透明容器（１）に香りの通気孔（２）を設け、未使用時に通気孔を塞ぐシール（３）を設け、材質美を生かした外的美観を得られる様、サイズ・形状とも均一にカットし、角丸加工を施した木材の粒（４）を、透明容器（１）に充填し、粒状集合体として配列表現されるデザインを有し、複数の樹種によるシリーズ製品の展開により、ユーザーの好みに合わせて選択し、ブレンドした香りやデザインを楽しむ事を可能とする事を特徴とする木材を用いた消臭芳香材。
【発明の効果】
【０００６】  本発明の木材を用いた消臭芳香材は、材質美を生かした外的美観による付加価値を与え、芳香が無くなった後も美観の効果により廃棄されず、好みの香料や精油を添加し引き続き使用することで製品の長寿命化が可能となる。異なる樹種の粒をブレンドしたパックや複数の樹種によるシリーズ製品を展開することで、ユーザーは、好みに合わせて選択し、ブレンドした香りやデザインを楽しむ事が可能となる。本発明は、木材を用いた消臭芳香材の分野で、新規な美観とブレンド可能な製品を提供できる。
【発明を実施するための形態】
【０００７】以下、本発明の実施の形態を図面にもとづいて説明する。図１は、本発明の実施の形態の斜視図である。これらの発明の実施の形態は、本発明の一実施の形態を示したものである。
本発明の木材を用いた消臭芳香材は、図１に示すように、透明容器（１）に、香りの通気孔（２）を設け、未使用時に通気孔を塞ぐシール（３）を設け、材質美を生かした外的美観を得られる様、サイズ・形状とも均一にカットし、角丸加工を施した木材の粒（４）を、透明容器（１）に充填する事で、粒状集合体として配列表現されるデザインを得る。複数の樹種によるシリーズ製品の展開により、ユーザーは、好みに合わせて選択し、ブレンドした香りやデザインを楽しむ。図１に示したように、本発明は通気孔を塞ぐシール（３）を剥がし、使用状態とする。
【図面の簡単な説明】
【０００８】
【図１】本発明の木材を用いた消臭芳香材の実施の形態を示した斜視図である。
【符号の説明】
【０００９】  １  透明容器
２  香りの通気孔
３  シール
４  木材の粒
【図１】
2016150240.tif 000003
(57)【要約】【課題】  布団をベランダの手摺壁に干すための布団乾燥補助具を提供する。【解決手段】  合成樹脂からなる板状体外周にフランジを有する略Ｊ型のフレームにおいて、複数の円形貫通孔を規則配置し、フレームの曲がり部上部と端部の円形貫通孔の片側には、円筒状の突出部を設けたフレームであり、一対のフレームを三本の接続パイプを介し突出部同士を接続し、フレームの曲り部の上部と下部の円形貫通孔を利用して支持パイプを挿通し、両側に均等に突出させ、双方向より発砲ポリウレタン等のスポンジ様の筒状体を嵌め込み１ユニットとする。【選択図】図１
2016150238.tif 000002
【特許請求の範囲】
【請求項１】
合成樹脂からなる板状体外周にフランジ（５）を有する略Ｊ型のフレーム（２）において、複数の円形貫通孔（３）を規則配置し、曲がり部（７）上部と端部の円形貫通孔（３）の片側には、円筒状の突出部（８）を設けたフレーム（２）であり、一対のフレーム（２）を三本の接続パイプ（４）を介し突出部（８）同士を接続し、フレーム（２）の曲り部（７）の上部と下部の円形貫通孔（３）を利用して支持パイプ（１０）を挿通し、両側に均等に突出させ、双方向より発砲ポリウレタン等のスポンジ様の筒状体（９）を嵌め込み１ユニットとすることを特徴とする布団乾燥補助具。
【請求項２】
ユニットを追加する事によりサイズの異なる布団（１２）に対応することが出来ることを特徴とする請求項１記載の布団乾燥補助具。
【請求項３】
それぞれのパーツをユーザー自身で組み立ててなることを特徴とする請求項１または２記載の布団乾燥補助具。
【発明の詳細な説明】
【技術分野】
【０００１】  本発明は、布団をベランダの手摺壁に干すための布団乾燥補助具に関するものである。
【背景技術】
【０００２】  布団を乾燥する場合、ベランダの手摺壁を利用するケースが一般的である。
【発明の概要】
【発明が解決しようとする課題】
【０００３】  そのために、次のような問題点があった。
布団を直接ベランダの手摺壁に掛けると、壁面に布団が接触する事により壁面の汚れが布団に付着してしまう恐れが有る。また布団裏面に通気が期待できないので乾燥が不完全となってしまう。本発明は、以上の問題点を解決するために考案されたものである。
【課題を解決するための手段】
【０００４】  合成樹脂からなる板状体外周にフランジ（５）を有する略Ｊ型のフレーム（２）において、複数の円形貫通孔（３）を規則配置し、曲がり部（７）の上部と端部の円形貫通孔（３）の片側には、円筒状の突出部（８）を設けたフレーム（２）であり、一対のフレーム（２）を三本の接続パイプ（４）を介し筒状の突出部（８）同士を接続し、フレーム（２）の曲り部（７）上部と下部の円形貫通孔（３）を利用して支持パイプ（１０）を挿通し、両側に均等に突出させ、双方向より発砲ポリウレタン等のスポンジ様の筒状体（９）を嵌め込み１ユニットとする。
以上の構成によりなる植物用保護具。
【発明の効果】
【０００５】  本発明を使用することによって、壁面と布団との間に空間が出来、フレームに設けた円形の貫通孔により空気の流通がスムーズに行なわれるので汚れが付着する事を防止すると共に乾燥時間を短縮できる。なお本発明は手摺パイプの有る無しに係らず装着できる。
【図面の簡単な説明】
【０００６】
【図１】本発明の斜視図
【図２】本発明の分解斜視図
【図３】本発明の側面図
【図４】本発明の断面図
【図５】本発明の使用状態を示す斜視図
【図６】本発明の不使用状態を示す斜視図
【発明を実施するための形態】
【０００７】  以下、本発明の実施の形態を説明する。
（イ）合成樹脂からなる板状体外周にフランジを有する略Ｊ型のフレームにおいて、複数の円形貫通孔を規則配置し、フレームの曲がり部の上部と端部の円形貫通孔の片側には、筒状の突出部を設ける。
（ロ）一対のフレームを三本の接続パイプを介し筒状の突出部同士を接続する。
（ハ）フレームの曲り部の上部と下部の円形貫通口を利用して支持パイプを挿通し、両側に均等に突出させ、双方向より発砲ポリウレタン等のスポンジ様の筒状体を嵌め込み１ユニットとする。
本発明は以上のような構成よりなる。
【０００８】  本発明を使用するときは、本体（１）の長手側を外側に、短手側を内側にし、開口部（６）より手摺壁（１１）に挟み込む。支持パイプ（９）は係止幅を拡幅するためのものであり、発砲ポリウレタン等のスポンジ様の筒状体（１３）を嵌め込む事により布団の滑り落ちを防ぐものである。布団（１２）を太陽光が当たる部分の面積がやや多くなる様に係止し、布団挟み等で固定する。固定位置はフレーム（２）間の曲り部（７）上部の接続パイプ（４）もしくは下部の支持パイプ（１０）を利用する。本発明はシングルサイズの布団（１２）を想定した場合、敷き布団（１２）は１ユニットを使用し、掛け布団（１２）の場合は２ユニットを使用する。またダブルサイズの布団（１２）を想定した場合、敷き布団（１２）は２ユニットを使用し、掛け布団（１２）は３ユニット使用することが望ましい。本発明を使用しないときは、支持パイプ（１０）を抜き取り本体（１）を反転させバルコニーの手摺壁（１１）の一画に寄せて係止しておけるので空間を無駄にしない。
【符号の簡単な説明】
【０００９】  １  本体、２  フレーム、３  貫通孔、４  接続パイプ、５  フランジ、６  開口部、７  曲り部、８  突出部、９  筒状体、１０  支持パイプ、１１  手摺壁、１２  布団、
【図１】
2016150238.tif 000003
【図２】
2016150238.tif 000004
【図３】
2016150238.tif 000005
【図４】
2016150238.tif 000006
【図５】
2016150238.tif 000007
【図６】
2016150238.tif 000008
(57)【要約】【課題】    平面床清掃用と刷毛ノズルが別体を成す場合、両者の交換は煩わしいものであった。又、刷毛ノズルを吸気筒に取り付けたタイプのものに於いては、刷毛の長さは固定しており、適する長さを選ぶことが出来なかった。並びに、不使用時刷毛が露出状態となり非衛生であった。【解決手段】  刷毛の形状を環形とし、不使用時は吸気筒の先端部に設けた刷毛収納空洞部内にスライド移動させるようにした。尚、スライド中間点で停止させることにより、使用する刷毛の長さが調整出来るようにした。【選択図】図１
2016150234.tif 000002
【特許請求の範囲】
【請求項１】
筒の先端部に、前後にスライドする環状刷毛を収納する空洞部を設けた電気掃除機の吸気筒。
【請求項２】
空洞部内をスライドする環状刷毛が任意の位置で停止出来、使用する刷毛の長さを調整出来る請求項１記載の電気掃除機の吸気筒。
【発明の詳細な説明】
【技術分野】
【０００１】本発明は、
１．装着を容易にした刷毛ノズルの装置
２．使用する刷毛部分の長さを変換させる装置
３．不使用時の刷毛を収納する構造
に関する。
【背景技術】
【０００２】従来、平面床面用ノズルと、棚上や狭い箇所等の埃を除去する刷毛ノズルは別体となっている。その他吸気筒に刷毛を装着し使用時吸気口まわりを覆う形式のものもある。
【発明の概要】
【発明が解決しようとする課題】
【０００３】解決しようとする課題は、平面床用と刷毛ノズルが別体をなす従来品の場合、両者の交換が煩わしいものであった。
又、刷毛を吸気筒に装着した従来のタイプの場合、刷毛の長さは一定しており掃除箇所の状態に応じて適応する理想的な刷毛の長さを選ぶ事は出来なかった。
又、刷毛の不使用時、刷毛が露出状態になり衛生上好ましくなかった。【０００４】本発明は、このような従来の構成が有していた問題を解決しようとするものであり、床面用ノズルと刷毛ノズルの切り替えが容易に実施出来る事。刷毛の長さを調整可能にして清掃作業の効率を向上させる事。並びに不使用時、露出状態の刷毛の不衛生さを防止することを目的とするものである。
【課題を解決するための手段】
【０００５】本発明は、上記目的を達成するために吸気筒外周に環状刷毛の収納空洞部分を設け、刷毛の不使用時は環状刷毛をスライドさせ刷毛全体を収納する構造にした。
又、スライド移動の中間点に於いても自由に位置させ、使用する刷毛の長さを選べるようにした。
【発明の効果】
【０００６】本発明は吸気筒に刷毛収納部を設けたことにより、別体を成す刷毛の装着作業が省かれる。又、従来の吸気筒と刷毛が一体タイプのものが、不使用時刷毛が露出状態であり不衛生である問題点を解消する。又、刷毛台をスライドさせ使用する刷毛の長さを調整出来るようにしたことにより、清掃対象によっては刷毛部を長くして使えば小箒で掃く感覚での使用も可能となり清掃作業の能率を上げる効果を生じる。
【図面の簡単な説明】
【０００７】
【図１】  本発明の実施形態を示す電気掃除機の吸気筒の断面図。
【図２】  図１におけるＡ−Ａ線断面図
【発明を実施するための形態】
【０００８】  以下、本発明の実施の形態を図面に基づいて説明する。
【０００９】図において、刷毛収納空洞部１は刷毛全体を収納出来る長さで吸気筒２に設ける。
【００１０】刷毛台部３は環状を成し、刷毛収納空洞部１内をスライド移動可能とする。
【００１１】スライド移動はスライド把手４にて行う。刷毛台３の位置固定は移動摩擦を大きくしたり、ねじ締め等何れでも良い。
【００１２】吸気口５は，他の吸気筒との接続可能の口径とする。
【００１３】上記構成により、刷毛ノズルの交換の簡易化、刷毛の長さ調整による清掃作業の能率化、並びに不使用時の刷毛の衛生的な保管という課題が解決される。
【符号の説明】
【００１４】１  刷毛収納空洞部
２  吸気筒
３  刷毛台部
４  スライド把手
５  吸気口
６  刷毛
【図１】
2016150234.tif 000003
【図２】
2016150234.tif 000004
(57)【要約】【課題】炭粉末の持つ有効な吸着機能を損なわず、空隙を確保しながら高充填化して、高吸着で、かつ再生利用可能な成形体を作製する。【解決手段】炭粉末の粒度分布を最適にして、高充填化を実現し、繋ぎ剤として天然の樹脂を炭粉末と混捏し、加熱圧縮、加圧冷却して空隙のある成形体を作製する。揮発性有機ガスや粒子状物質の高性能な吸着性を有する成形体を実現する。後加工する事で、貝殻焼成カルシウム系微粉末水溶液を含浸させ、吸引時に揮発性有機ガスと同時に侵入するウイルス等を殺菌する性能を発現させた。【選択図】なし【特許請求の範囲】
【請求項１】
炭粉末の粒度分布を最適にして高充填化し、繋ぎ剤として天然系親油性樹脂を炭粉末と混捏し、加熱圧縮、加圧冷却して空隙を有するよう作製される炭粉末成形体において、揮発性ガスや粒子状物質の吸着量を増やすために炭粉成形体の表面積を増加させることを特徴とする炭粉末成形体の作製方法。
【請求項２】
抗菌性を付加するためにホタテ貝柱、牡蠣貝殻等の貝殻原料から焼成精製されたカルシウム系微粉末水溶液を含浸させることを特徴とする、請求項１記載の炭粉末成形体の作製方法。
【発明の詳細な説明】
【技術分野】
【０００１】
本発明は炭粉末成形体の作製方法に関するものである。
【背景技術】
【０００２】
本願発明者は炭粉末の高充填化した成形体の作製に関する技術を提案している（特許文献１参照）。
従来悪臭と言われる物質の除去の為には、発生源である揮発性有機ガスや粒子状物質の捕集，吸着、分解，熱処理、大気放出などの方法が用いられている。これらの揮発性有機ガスや粒子状物質の大半は、従来から炭による吸着、分解が有効とされ、この方法が使用されてきた。
広葉樹炭による揮発性有機ガスや粒子状物質の吸着、分解性能は、他のものに比較して著しく高性能である事も実証されている。この性能については必ずしも明確ではないが、従来から炭材の調湿機能を生かして、書庫や墳墓などの周辺に埋めて内容物の保存を図るなどの使われ方をしていた。
近年有害物質の空中への放出を防止する有効な材料として技術開発がなされている。これは揮発性有機ガスや粒子状物質が炭粉末成形体の空隙を通過する時に、炭粉末に接触する事で炭本来が持つ多孔質に接触する事が有機ガスを吸着する性質を高めたものである。
【０００３】
従来技術として、活性炭の合板製造方法に関するもの（特許文献２参照）及び熱可塑性樹脂繊維を原料とするボード等成形品およびその製造方法に関するもの（特許文献３参照）がある。
【先行技術文献】
【特許文献】
【０００４】
【特許文献１】特開２０１０−９４８２８号公報
【特許文献２】特開平１１−１１４９２２号公報
【特許文献３】特開２００１−２６９９０９号公報
【発明の概要】
【発明が解決しようとする課題】
【０００５】
炭粉末成形体の機能向上の為、揮発性ガスや粒子状物質の吸着量を増やすことそれに加えて、抗菌性を付加する事が課題である。
【課題を解決するための手段】
【０００６】
炭粉末成形体の揮発性有機ガスや粒子状物質に接触する表面積を増加する事が、すなわち炭粉末成形体の高性能化に寄与できる。
ちなみに揮発性有機ガスや粒子状物質に接触面積を増加させる方法としては、炭粉末成形体の後加工もしくは成形時に型を加工する事で、多孔化とする事が有効である。
【０００７】
現状の炭粉末成形体の表面積を増加させる方法の一つとして、後加工で穴開口した例があるが、これにより表面積を３０％以上増加させる事が出来た。穴開口による、表面積の増加率の結果を表１に示す。
【表１】
2016150295.tif 000002
【０００８】
炭粉末成形体の後加工時は加工用治具を使用して、炭粉末成形体の崩落を防がなければならない。
開口時は炭粉末成形体の両面に密着した治具で圧搾してドリリング回転数を低回転にして欠落を防止しなければならない。
【０００９】
又、炭粉末成形体は穴開口後に強度低下が著しいが、これを補強する為にポリアミドネット等、熱可塑性樹脂により補強をしておく事が必要である。
一般的に市販されている、低融点ポリアミドネット（融点６０℃程度の素材）状の熱可塑性樹脂を炭粉末成形体の裏面に、アイロンを使用して熱溶着させる。
【００１０】
炭粉末成形体の、揮発性有機ガスや粒子状物質の吸収量が飽和状態と認められた場合は、炭粉末成形体を収容容器から取り出して、温水で洗浄する事で、再生が可能となる。
洗浄後は、充分に乾燥させた状態で収容容器にセットする。
【００１１】
洗浄時に使用する、温度は４０〜６０℃程度の湯温が最適である。
【００１２】
揮発性有機ガスや粒子状物質の吸着時、気体と同時に空気中のウイルスや雑菌等を吸着する事が考えられる為、その対策として安全、無害な方法を考案した、これは既に専門誌、学会などで公開されている貝殻焼成カルシウムの水溶液を炭粉末成形体に含浸させる方法である。
【００１３】
これは、貝殻焼成カルシウム水溶液がｐＨ１２．５程度の強アルカリ性であり、空気中の水分に接する事で高性能な殺菌効果を発揮する事になる。
貝殻焼成カルシウム水溶液を添加した場合の菌の生菌率（単位：％）を表２に示す。
【表２】
2016150295.tif 000003
上表は八戸工業大学が独自にホタテ貝殻で分析したものであり、ＭＲＳＡとはメチシリン耐性黄色ブドウ球菌であり、院内感染の原因菌といわれるものである。
【００１４】
上記の貝殻焼成カルシウム水溶液を炭粉末成形体に含浸させる方法として、貝殻焼成カルシウムをナノサイズに細分化させ水溶化させる事で炭粉末成形体に大量に付着させる方法を開発した。
【００１５】
この為に調整製作した水溶液（抗菌剤）の性状を表３に示す。
【表３】
2016150295.tif 000004
【００１６】
この抗菌剤の炭粉末成形体への付着量を測定した結果、すなわち炭粉末ボードへの付着率を表４に示す。
【表４】
2016150295.tif 000005
【００１７】
使用した貝殻焼成カルシウムの原材料は、ホタテ貝殻、牡蠣貝殻等である。
【００１８】
今回使用した貝殻焼成カルシウムは粒径、約４０〜６０ｎｍのものを使用しており、付着量１２％（重量比）で、炭粉末成形体の間隙である０．５μｍの物でも、その性能を十分に満足させる物であった。
【００１９】
なお貝殻焼成カルシウム水溶液の炭粉末成形体への付着方法は、デッピング方法を使用した。
【００２０】
上記のように説明した本願発明は以下の用途が考えられる。
【００２１】
炭粉末成形体が持つ高い表面積・滅菌効果を利用した空気清浄器の提供が出来る。また炭粉末成形体の効果が低減した時は洗浄する事において効果は復活する。
【００２２】
炭粉末成形体の消臭・滅菌効果を利用した、葬儀備品・仏壇、下駄箱・押入れ等の消臭、調湿材。又  尿あるいは腐敗臭等の悪臭を発する環境において（トイレ、犬小屋、ペットショップ等）消臭マット（特開２０１３−２０８４３２）を提供する。又  男性トイレでは、便器外への放尿を防ぐ為、便器サイドに消臭ＢＯＸ取り付け、支えとしても応用が出来る。
【００２３】
炭粉末成形体よる遠赤外線効果、及び炭臭はアロマ効果がある。この効果を利用した商品、枕・ベッド、又  消臭、滅菌効果を加味し家屋建具に応用する。
【００２４】
炭粉末成形体の炭がもつ、エチレンガス吸着効果を利用する、野菜・果物、魚・肉の鮮度保持材。
(57)【要約】【課題】  夜間のウオーキングでは交通事故に遭遇しないように反射材の着用か照明具の携帯で対応しているが、反射材は自転車ランプ等の光源の弱いものに対しては視認性が悪く、また手振り促進のためのダンベルと照明具の両方を持ってのウオーキングも困難であった。【解決手段】  持ち手部の前後にランプ部を設け、ウオーキング中は前後どちらからでも照明を視認できるダンベルとする。このダンベル内部に前後移動で発電する永久磁石を設けることで電源とするとともに、手振り運動を快適に効率よく行える効果を期待できる。【選択図】図２
2016150241.tif 000002
【特許請求の範囲】
【請求項１】
持ち手部の内部にコイルと永久磁石を配置し、腕を前後に振ることにより永久磁石が前後に移動して発電するダンベル。
【請求項２】
ダンベルの前後にランプを設け、上記請求項１により発電した電気または電池を使用して点灯させる装置。
【発明の詳細な説明】
【技術分野】
【０００１】  本発明はウオーキングスポーツの安全性向上に関する技術。
【背景技術】
【０００２】  夜間のウオーキングは交通事故に遭遇することが多く、ドライバーの視認性をよくするため、反射材の襷、腕章等を着用するか、電池式の照明具を携帯して事故防止を図ってきた。【０００３】  ウオーキングの健康効果を高めるためには手を大きく前後に振ることが推奨されており、それをスムーズに行うためダンベル等の重りを持って手を振ることが良いとされている。
【発明の開示】
【発明が解決しようとする課題】
【０００４】  反射材は自転車ランプ等の光源の弱いものに対しては視認性が悪く、またダンベルと照明具の両方を持ってのウオーキングは困難であった。【０００５】  本発明はダンベルと照明具の両方の同時使用を容易にして、交通事故防止を図り、かつウオーキングの手振り運動を快適に効率よくしようとするものである。
【課題を解決するための手段】
【０００６】  上記目的を達成するため持ち手部前後にランプ部を設け、ウオーキング中は前後どちらからでも照明が視認されるダンベルとする。【０００７】  ランプ点灯に必要な電気はダンベルの円筒持ち手内部にコイルを配置するとともに、中心部のガイド棒に通した永久磁石を前後に移動することにより発電する。また永久磁石はダンベルに必要な重りとなる。
【発明の効果】
【０００８】  両手に持ったダンベルの前後にランプがあるためどの方向からのドライバーからも視認性は良く、且つ、手の振りに合わせて点灯部が移動するため点滅効果で注意喚起も期待できる。【００９】  永久磁石の前後運動は手の振りが悪いと低下し、照明が暗くなるので手の振りの督促効果が期待できる。【００１０】  永久磁石の前後運動は手の振り方向とサイクルが反対になるので、手振りにリズム感が発生して快適なウオーキングとなる。
【発明を実施するための最良形態】
【００１１】  本発明の外観斜視図を図−１に示す。円筒のダンベル持ち手部（１）の前後に滑り止めのために持ち手部直径より大きなランプ部（２）を設ける。
【００１２】  持ち手部外筒の内側に絶縁したコイル（３）を設ける。中心に永久磁石をスムーズに前後させるためのガイド棒（４）を設ける。ガイド棒に穴をあけた永久磁石（５）を通す。
【００１３】  ランプ部と持ち手部の境界に永久磁石の移動に伴う衝撃を緩和するため、弾力のあるゴム又はバネ等の緩衝部（６）を設ける。
【００１４】  ランプ部の電球とコイルは電線で結合して点灯を可能とする。
【００１５】  より簡易にダンベルに照明効果をもたらすには、コイル、ガイド棒、永久磁石を取り除き乾電池を入れることもできるが、永久磁石前後運動の効果は期待できない。
【図面の簡単な説明】
【００１６】
【図１】外観斜視図
【図２】側面から見た断面図
【図３】持ち手部中央の断面図
【符号の説明】
【００１７】１    持ち手部
２    ランプ部
３    コイル
４    ガイド棒
５    永久磁石
６    緩衝部
【図１】
2016150241.tif 000003
【図２】
2016150241.tif 000004
【図３】
2016150241.tif 000005
(57)【要約】【課題】大腿骨頸部内側骨折は内固定具で手術固定する場合がある。術後、大腿骨頸部の短縮が発生することがある。この短縮によって発生する内固定具由来の不具合の発生を抑制する。【解決手段】内固定具１０は近位骨（骨頭）２にのみ固定でき、内固定具１１は遠位骨３のみに固定でき、内固定具１０と内固定具１１間にスライド構造１２を設ける。【選択図】図８
2016150242.tif 000002
【特許請求の範囲】
【請求項１】
大腿骨頸部内側骨折等において、近位に用いる内固定具はフックやネジやセメントなどで近位骨（骨頭）にのみ固定する手段を持ち、遠位に用いる内固定具はフックやネジやセメントなどで遠位骨のみに固定できる手段を持ち、近位に用いる内固定具と遠位に用いる内固定具の間に、互いにスライドするスライド構造を設けたもの。近位に用いる内固定具と遠位に用いる固定具は分離型であっても一体型であってもよい。
【発明の詳細な説明】
【技術分野】
【０００１】  本発明は、骨の骨折を固定するための、内固定具であり、例えば整形外科学分野における、大腿骨頸部内側骨折での固定に用いる。
【背景技術】
【０００２】    図１のように大腿骨頸部内側骨折などにおいて、骨折１がある場合、骨折部分は、近位骨（骨頭）２と、遠位骨３に分かれる。この時共通の骨孔４を円柱状にドリルであけ、図２のような内固定具で図３のように固定する方法があった。これは柱状の内固定具５からフック６を突出させる方法である。内固定具５はフック６で近位骨（骨頭）２に固定されており、骨孔４内には挿入されているだけでぶらさがっている状態である。骨折１がそのまま癒合すると、大腿骨頸部長７は、短縮しない。この場合には問題は発生しない。【０００３】  しかし、骨折の骨癒合は、短縮が起こる場合と起こらない場合がある。【０００４】    問題が発生するのは、図４のように大腿骨頸部長７が、短縮する場合である。短縮は骨癒合過程で骨折１が互いに食い込むことで起こりこれを、シンキングという。これにより、柱状の内固定具５の遠位端が骨孔４から外へ飛び出す、飛び出し部８ができてしまう。これが痛みの原因になる。また、飛び出し部８の外の筋肉等の動きで内固定具５を、押してしまう結果、骨折１に、近位骨（骨頭）２と遠位骨３を引き離すストレスをかけたり、図５のように内固定具５の先端が近位骨（骨頭）２を突き破ってしまい突出部９を作ってしまうことがあった。
【発明の概要】
【発明が解決しようとする課題】
【０００５】  解決しようとする問題点は、骨癒合過程で大腿骨頸部長７が短縮する場合に、飛び出し部８や、突出部９が発生しにくくすることである。
【問題を解決するための手段】
【０００６】  本発明は、図６図７のように内固定具１０は近位骨（骨頭）２のみ固定し、内固定具１１は遠位骨３のみに固定し、内固定具１０と内固定具１１は、互いにスライドするスライド構造１２を設けることを特徴とする。
【発明の効果】
【０００７】  本発明の内固定具では、図８のように大腿骨頸部長７はシンキングにより短縮しても内固定具１０と内固定具１１は、スライド構造１２でスライドし短縮を吸収できるため飛び出し部８ができにくくなる。これにより、痛みの原因ができにくい利点がある。また、骨折１に引き離すストレスをかけにくく、内固定具１０が近位骨（骨頭）２を突き破って突出部９が発生することが起こりにくくなる利点がある。
【図面の簡単な説明】
【０００８】
【図１】大腿骨頸部内側骨折と作製する骨孔の説明図である。
【図２】背景技術の説明図である。
【図３】背景技術の説明図である。
【図４】背景技術の問題点の説明図である。
【図５】背景技術の問題点の説明図である。
【図６】本発明の説明図である。
【図７】本発明の説明図である。
【図８】本発明の説明図である。
【図９】本発明の説明図である。
【発明を実施するための形態】
【０００９】  内固定具１０は近位骨（骨頭）２にのみ固定でき、内固定具１１は遠位骨３のみに固定でき、固定具１０と固定具１１が、互いにスライドするスライド構造１２を設けることで、骨癒合過程で起こる短縮により発生する問題を解決した。
【実施例１】
【００１０】  図９のように、内固定具１０と近位骨（骨頭）２の固定方法は、フック６や、ネジ１３や、骨セメント１４等がある。固定できればいかなる方法でもよい。【００１１】  図９のように、内固定具１０と内固定具１１のスライド構造は、互いが筒状であるとき、内固定具１０が内固定具１１内に滑り込む構造１５や、内固定具１１が内固定具１０内に滑り込む構造１６などスライドすればいかなる構造でもよい。また、互いが抜けないよう一体構造１７であってもよい。【００１２】  図９のように、内固定具１１と遠位骨３の固定方法は、フック６や、ネジ１３や、骨セメント１４等がある。固定できればいかなる方法でもよい。ネジでは内固定具１１挿入のためのスクリューヘッド１８があってもなくてもよい。
【産業上の利用可能性】
【００１３】  主として医療整形外科分野の大腿骨頸部内側骨折に用いることができる。
【符号の説明】
【００１４】１    骨折
２    近位骨（骨頭）
３    遠位骨
４    骨孔
５    内固定具
６    フック
７    大腿骨頸部長
８    飛び出し部
９    突出部
１０  内固定具
１１  内固定具
１２  スライド構造
１３  ネジ
１４  骨セメント
１５  滑り込む構造
１６  滑り込む構造
１７  一体構造
１８  スクリューヘッド
【図１】
2016150242.tif 000003
【図２】
2016150242.tif 000004
【図３】
2016150242.tif 000005
【図４】
2016150242.tif 000006
【図５】
2016150242.tif 000007
【図６】
2016150242.tif 000008
【図７】
2016150242.tif 000009
【図８】
2016150242.tif 000010
【図９】
2016150242.tif 000011
(57)【要約】      （修正有）【課題】潜行浮上システムの改良により、より安全で、より省エネで、より快適な空間にすることができる潜水艇の潜行浮上に関する装置を提供する。【解決手段】容器１及び伸縮膜２の中は高圧空気で満たしてあり、その高圧空気で満たされた容器１及び伸縮膜２の中に錘３を配置し、伸縮膜２の底部に接着し取り付ける。容器１が上の場合、伸縮膜２は錘３の重力の影響により最大体積となる。容器１が下の場合は同じく錘３の重力の影響により伸縮膜２の体積は最小となる。ただし、両状態において重量の変化はない。このように、意図的に潜水艇の一部の体積の増減を行い、その体積に対する浮力の増減による潜行浮上システムに変更させれば良い。【選択図】図２
2016150743.tif 000002
【特許請求の範囲】
【請求項１】
伸縮膜２を、中空円板４を等間隔に設置することにより、蛇腹状にした装置。
潜行浮上に関わる浮力を発生させる伸縮膜２は、それを蛇腹状にすることにより、高水圧内においても、同じ断面形状で、スムーズな伸縮が可能となる。
【発明の詳細な説明】
【技術分野】
【０００１】  本発明は、潜水艇の潜行浮上に関する装置の開発に関するものである。
【背景技術】
【０００２】  従来、潜水艇による潜行浮上システムでもっとも重要な装置としてバラストタンクと気蓄機がある。【０００３】  潜行する場合は、バラストタンク内に海水を入れ、重量を増加させる。
浮上する場合は、気蓄機内の空気をバラストタンク内へ加え、バラストタンク内の海水を排水することにより、重量を減少させる。
潜水艇の潜行浮上には、この様な潜水艇の重量の調整が必要となる。【０００４】  しかしながら、このバラストタンク及び気蓄機による潜行浮上システムでは海中内における潜行浮上の回数に限りがあり、気蓄機内の空気圧が低下した場合、一旦海上に出て空気圧の調整をしなければならない。
また、潜水艇内にバラストタンク等を設置するため、快適な艇内空間は望めず、限られた狭い空間での艇内作業となる。
【先行技術文献】
【特許文献】
【０００５】
【特許文献１】  特願平１１−５３６７７３
【特許文献２】  特願２０１１−２７３８６１
【発明の概要】
【発明が解決しようとする課題】
【０００６】  本発明は、このような従来の潜水艇内の重量の増減を利用した潜行浮上システムを改良し、潜水艇と潜行浮上システムとを完全に隔離することにより、潜水艇における潜行浮上に関する課題を解決しようとするものである。
【課題を解決するための手段】
【０００７】  この課題を解決するためには、バラストタンク内への海水の流入出を気蓄機内の高圧空気で調整し、潜水艇の重量の増減による潜行浮上の現行システムを、潜水艇全体の重量は同じであるものの、意図的に潜水艇の一部の体積の増減を行い、その体積に対する浮力の増減による潜行浮上システムに変更させれば良いことになる。【０００８】  図１は、体積の増減を意図的に行うための容器１及び伸縮膜２の関係を示した正面図である。
容器１及び伸縮膜２の中は高圧空気で満たしてあり、その高圧空気で満たされた容器１及び伸縮膜２の中に錘３を配置し、伸縮膜２の底部に接着し取り付ける。
容器１が上の場合、伸縮膜２は錘３の重力の影響により最大体積となる。容器１が下の場合は同じく錘３の重力の影響により伸縮膜２の体積は最小となる。
ただし、両状態において重量の変化はない。【０００９】  図２は、容器１及び伸縮膜２の関係を示した断面図である。
図３は、伸縮膜２を蛇腹状にするための中空円板４の姿図である。
伸縮膜２内には、伸縮膜２の伸縮がスムーズに行えるよう、中空円板４を等間隔に取り付け蛇腹状にする。伸縮膜２が蛇腹状になることにより、スムーズな伸縮が可能となる。
また、中空円板４を取り付けることにより、高水圧の中でも伸縮膜２は同じ断面形状を維持することが可能となる。【００１０】  容器１と潜水艇は取り付け材５で繋がっており、この取り付け材５を中心に、容器１及び伸縮膜２の天地を変えることが出来るようにする。【００１１】  潜水艇内には気蓄機を設置し、中空材６を介し容器１へ繋げる。
容器１及び伸縮膜２内の空気は、気蓄機の調整により、その圧力を自由に変えることが出来ることになる。
そのことにより、伸縮膜２の伸縮を確実に行うことが出来る。
なお、深海に於ける高水圧に対する対応としては、容器１内にジャッキを設置することにより、伸縮膜２の伸縮を、よりスムーズに行うことが出来る。
【発明の効果】
【００１２】  本発明は、水中等における物体の体積に比例する浮力の原理＝アルキメデスの原理を利用し、潜水艇の潜行浮上を行わせようとするものである。
浮力の差のみであり、潜水艇内にあるバラストタンクに海水を流入もしくは艇外への流出を行わせる必要がなく、潜水艇内へ海水が入り込むことがなくなり、危険性は減少する。
また、バラストタンクが不必要になり、その空間を他の用途に使用でき、エネルギー消費を抑えることも出来る。
【図面の簡単な説明】
【００１３】
【図１】  海中において異なる浮力を得るための装置の正面図である。
【図２】  図１による装置の断面図である。
【図３】  伸縮膜２を蛇腹状にするための中空円板４の姿図である。
【発明を実施するための形態】
【００１４】  以下、本発明の実施の形態について説明する。
図１は、異なる浮力を得るための装置であり、錘３と容器１及び伸縮膜２を一体化したものである。
図１の装置の天地の状態により、錘３は重力との関係によりピストン運動をする。
そのことにより、伸縮膜２はその体積を最大から最小へ、最小から最大へと変化させ、体積の異なる状態を作りだす。
【００１５】  中空円板４を伸縮膜２に等間隔に取り付けることにより、伸縮膜２は蛇腹状となり、伸縮をよりスムーズに行うことが出来る。
これらのことにより、重量は同じであっても浮力の異なる状態を生じさせることができる。
なお、伸縮膜２は、容器１内及び伸縮膜２内への海水等の浸入がないように密閉されたものでなければならない。
【００１６】  錘３によるピストン運動により、伸縮膜２の体積は変化をする。その際、容器１及び伸縮膜２内に存在する空気圧を調整するため、潜水艇内に設置された気蓄機と容器１内を繋ぐ必要がある。
中空材６で気蓄機と容器１とを繋ぐことにより、蛇腹状になった伸縮膜２はよりスムーズに伸縮出来ることになる。
【符号の説明】
【００１７】  １        容器
２        伸縮膜
３        錘
４        伸縮膜２を蛇腹状にさせるための中空円板
５        容器１等の天地回転のための取り付け材
６        潜水艇内の気蓄機と容器１内を繋ぐ中空取り付け材
７        スライド棒
【図１】
2016150743.tif 000003
【図２】
2016150743.tif 000004
【図３】
2016150743.tif 000005